(57)【要約】【課題】  例えばユーザ個人用の記録領域に対して容易にアクセス可能とするとともに、情報の漏洩を防止する。【解決手段】  ＭＦＰ１（４０１０）は、ユーザの認証情報及びユーザが参照可能な情報の記録領域情報を記録したストレージデバイス（４１００）から、前記認証情報を読み取り、前記認証情報に基づいてユーザに対する認証処理を行い、認証が得られた場合、前記記録領域情報に示される記録領域に対する情報の書き込み又は読み取りを許可する。【選択図】  図１３
2006260450.tif 000002
【特許請求の範囲】
【請求項１】
ユーザの認証情報及びユーザが参照可能な記録領域を示す記録領域情報を対応付けて記録した記録媒体から、前記認証情報を読み取る認証情報読取手段と、
第１の認証情報に基づいてユーザに対する認証処理を行う第１の認証手段と、
第２の認証情報に基づくユーザに対する認証処理を外部装置に行なわせる第２の認証手段と、
前記第１及び第２の認証手段により認証が得られた場合、前記第１の認証情報に対応する前記記録領域情報に示される記録領域及び前記第２の認証情報に対応する前記記録領域情報に示される記録領域に対する情報の書き込み又は読み取りを許可する情報入出力制御手段とを有することを特徴とする情報入出力装置。
【請求項２】
前記記録媒体は複数の装置それぞれのためのパスワード情報を記録し、前記第１の認証手段は、前記複数の装置のためのパスワード情報内に、当該情報入出力装置内に保持される当該情報入出力装置用のパスワード情報と一致するパスワード情報が存在するか否かによって認証処理を行うことを特徴とする請求項１に記載の情報入出力装置。
【請求項３】
前記記録媒体が接続される度に、当該情報入出力装置用のパスワード情報を生成するパスワード生成手段と、
前記パスワード生成手段により生成された当該情報入出力装置用のパスワード情報を前記記録媒体に記録する記録制御手段とを更に有し、
前記第１の認証手段は、前記記録制御手段により前記複数の装置のためのパスワード情報の一部として当該情報入出力装置用のパスワード情報が記録されていた場合、認証を得ることを特徴とする請求項２に記載の情報入出力装置。
【請求項４】
前記記録媒体内には、複数の装置それぞれのための前回のパスワード情報と今回のパスワード情報とが夫々記録され、当該情報入出力装置内には、当該情報入出力装置用の前回のパスワード情報と今回のパスワード情報とが記録され、前記認証手段は、当該情報入出力装置用の前回のパスワード情報と今回のパスワード情報との双方が前記記録媒体内に記録されていた場合、認証を得ることを特徴とする請求項３に記載の情報入出力装置。
【請求項５】
ユーザのパスワード情報を入力するユーザパスワード入力手段と、
前記ユーザパスワード入力手段により入力されたユーザのパスワード情報が、前記記録媒体に記録されているユーザのパスワード情報と一致しない場合、前記記録媒体内から当該情報入出力装置用のパスワード情報を削除する削除手段とを更に有することを特徴とする請求項２乃至４の何れか１項に記載の情報入出力装置。
【請求項６】
情報入出力装置による情報入出力方法であって、
ユーザの認証情報及びユーザが参照可能な記録領域を示す記録領域情報を対応付けて記録した記録媒体から、前記認証情報を読み取る認証情報読取ステップと、
第１の認証情報に基づいてユーザに対する認証処理を行う第１の認証ステップと、
第２の認証情報に基づくユーザに対する認証処理を外部装置に行わせる第２の認証ステップと、
前記第１及び第２の認証ステップにより認証が得られた場合、前記第１の認証情報に対応する前記記録領域情報に示される記録領域及び前記第２の認証情報に対応する前期記録領域情報に示される記録領域に対する情報の書き込み又は読み取りを許可する情報入出力制御ステップとを含むことを特徴とする情報入出力方法。
【請求項７】
請求項６に記載の情報入出力方法をコンピュータに実行させるためのプログラム。
【請求項８】
請求項７に記載のプログラムを記録したコンピュータ読み取り可能な記録媒体。
【発明の詳細な説明】
【技術分野】
【０００１】
本発明は、情報の入出力制御を行う例えばマルチファンクションプリンタ等に適用可能な情報入出力装置及び情報入出力方法に関するものである。
【背景技術】
【０００２】
現在、マルチファンクションプリンタ（ＭＦＰ）において、データをハードディスク装置などの装置に記憶し、原稿から読み取った画像データを電子化して、ネットワーク上に接続された機器間でデータを送受信できる。
【０００３】
一方、大容量のデータを手軽に持ち運べるメモリデバイスが増えていて、メモリデバイスをマルチファンクションプリンタと接続して、デバイス内に保存している画像を印字することも可能になっている。
【０００４】
しかしながら、マルチファンクションプリンタ内のデータがネットワーク上に公開されているのが現状であり、この現状に対処すべくデータの漏洩を防止する方法も提案されている（例えば、特許文献１参照）。
【０００５】
【特許文献１】特開２００４−１３９１６３号公報
【発明の開示】
【発明が解決しようとする課題】
【０００６】
このようにデータの漏洩を防止しつつ、さらに、ネットワーク上に保持されている複数の記録領域のそれぞれに置かれている自らのデータに対し容易にアクセスできるような仕組みが望まれている。
【０００７】
そこで、本発明の目的は、例えばネットワーク上に用意されているユーザ個人用の複数の記録領域に対して容易にアクセス可能とするとともに、情報の漏洩を防止することにある。
【課題を解決するための手段】
【０００８】
本発明の情報入出力装置は、ユーザの認証情報及びユーザが参照可能な記録領域を示す記録領域情報を対応付けて記録した記録媒体から、前記認証情報を読み取る認証情報読取手段と、第１の認証情報に基づいてユーザに対する認証処理を行う第１の認証手段と、第２の認証情報に基づくユーザに対する認証処理を外部装置に行なわせる第２の認証手段と、前記第１及び第２の認証手段により認証が得られた場合、前記第１の認証情報に対応する前記記録領域情報に示される記録領域及び前記第２の認証情報に対応する前記記録領域情報に示される記録領域に対する情報の書き込み又は読み取りを許可する情報入出力制御手段とを有することを特徴とする。
本発明の情報入出力方法は、情報入出力装置による情報入出力方法であって、ユーザの認証情報及びユーザが参照可能な記録領域を示す記録領域情報を対応付けて記録した記録媒体から、前記認証情報を読み取る認証情報読取ステップと、第１の認証情報に基づいてユーザに対する認証処理を行う第１の認証ステップと、第２の認証情報に基づくユーザに対する認証処理を外部装置に行わせる第２の認証ステップと、前記第１及び第２の認証ステップにより認証が得られた場合、前記第１の認証情報に対応する前記記録領域情報に示される記録領域及び前記第２の認証情報に対応する前期記録領域情報に示される記録領域に対する情報の書き込み又は読み取りを許可する情報入出力制御ステップとを含むことを特徴とする。
本発明のプログラムは、前記情報入出力方法をコンピュータに実行させることを特徴とする。
本発明のコンピュータ読み取り可能な記録媒体は、前記プログラムを記録したことを特徴とする。
【発明の効果】
【０００９】
本発明によれば、記録媒体を使用してユーザの認証が得られた場合、のユーザが参照可能な複数の記録領域に対する情報の書き込み又は読み取りを許可するように構成したので、ユーザは上記記録媒体を使用することによって、例えばネットワーク上に用意されている当該ユーザ個人用の複数の記録領域に対して容易にアクセスすることができるとともに、認証処理によって情報の漏洩を防止することが可能となる。
【発明を実施するための最良の形態】
【００１０】
以下、本発明を適用した好適な実施形態を、添付図面を参照しながら詳細に説明する。
【００１１】
＜画像入出力システムの全体構成＞
本発明の実施形態に係る画像入出力システムの全体構成を、図１を参照しながら説明する。リーダ装置（リーダ部）２００は、原稿画像を光学的に読み取り、画像データに変換する。リーダ部２００は、原稿を読み取るための機能を持つスキャナユニット２１０と、原稿用紙を搬送するための機能を持つ原稿給紙ユニット２５０とで構成される。
【００１２】
プリンタ装置（プリンタ部）３００は、記録紙を搬送し、その上に画像データを可視画像として印字して装置外に排紙する。プリンタ部３００は、複数種類の記録紙カセットを持つ給紙ユニット３６０と、画像データを記録紙に転写、定着させる機能を持つマーキングユニット３１０と、印字された記録紙をソート、ステイプルして機外へ出力する機能を持つ排紙ユニット３７０とで構成される。
【００１３】
制御装置（コントローラ部）１１０は、リーダ部２００、プリンタ装置（プリンタ部）３００と電気的に接続され、さらにネットワーク（ＬＡＮ）４００を介して、ホストコンピュータ４０１、４０２と接続されている。
【００１４】
制御装置１１０は、リーダ部２００を制御して、原稿の画像データを読込み、プリンタ部３００を制御して画像データを記録用紙に出力してコピー機能を提供する。また、リーダ部２００から読み取った画像データを、コードデータに変換し、ネットワーク４００を介してホストコンピュータへ送信するスキャナ機能、ホストコンピュータからネットワーク４００を介して受信したコードデータを画像データに変換し、プリンタ部３００に出力するプリンタ機能を提供する。
【００１５】
操作部１８０は、制御装置１１０に接続され、液晶タッチパネルで構成され、画像入出力システムを操作するためのユーザＩ／Ｆを提供する。
【００１６】
図２は、リーダ部２００及びプリンタ部３００の概観図である。リーダ部２００の原稿給送ユニット２５０は原稿を先頭順に１枚ずつプラテンガラス２１１上へ給送し、原稿の読み取り動作終了後、プラテンガラス２１１上の原稿を排出するものである。原稿がプラテンガラス２１１上に搬送されると、ランプ２１２を点灯し、そして光学ユニット２１３の移動を開始させて、原稿を露光走査する。この時の原稿からの反射光は、ミラー２１４、２１５、２１６及びレンズ２１７によってＣＣＤイメージセンサ（以下、ＣＣＤと称す）２１８へ導かれる。このように、走査された原稿の画像はＣＣＤ２１８によって読み取られる。
【００１７】
２２２はリーダ画像処理回路部であり、ＣＣＤ２１８から出力される画像データに所定の処理を施し、スキャナＩ／Ｆ１４０を介して制御装置１１０へと出力するところである。
【００１８】
３５２はプリンタ画像処理回路部であり、プリンタＩ／Ｆ１４５を介して制御装置１１０から送られる画像信号をレーザドライバへと出力するところである。
【００１９】
プリンタ部３００のレーザドライバ３１７はレーザ発光部３１３、３１４、３１５、３１６を駆動するものであり、プリンタ画像処理回路部３５２から出力された画像データに応じたレーザ光をレーザ発光部３１３、３１４、３１５、３１６を発光させる。このレーザ光はミラー３４０、３４１、３４２、３４３、３４４、３４５、３４６、３４７、３４８、３４９、３５０、３５１によって感光ドラム３２５、３２６、３２７、３２８に照射され、感光ドラム３２５、３２６、３２７、３２８にはレーザ光に応じた潜像が形成される。
【００２０】
３２１、３２２、３２３、３２４は、それぞれブラック（Ｂｋ）、イエロー（Ｙ）、シアン（Ｃ）、マゼンダ（Ｍ）のトナーによって、潜像を現像するための現像器であり、現像された各色のトナーは、用紙に転写されフルカラーのプリントアウトがなされる。
【００２１】
用紙カセット３６０、３６１及び手差しトレイ３６２のいずれかより、レーザ光の照射開始と同期したタイミングで給紙された用紙は、レジストローラ３３３を経て、転写ベルト３３４上に吸着され、搬送される。そして、感光ドラム３２５、３２６、３２７、３２８に付着された現像剤を記録紙に転写する。現像剤の乗った記録紙は定着部３３５に搬送され、定着部３３５の熱と圧力により現像剤は記像紙に定着される。定着部３３５を通過した記録紙は排出ローラ３３６によって排出され、排紙ユニット３７０は排出された記録紙を束ねて記録紙の仕分けをしたり、仕分けされた記録紙のステイプルを行う。
【００２２】
また、両面記録が設定されている場合は、排出ローラ３３６のところまで記録紙を搬送した後、排出ローラ３３６の回転方向を逆転させ、フラッパ３３７によって再給紙搬送路３３８へ導く。再給紙搬送路３３８へ導かれた記録紙は上述したタイミングで転写ベルト３３４へ給紙される。
【００２３】
＜制御装置の説明＞
次に、制御装置１１０の機能を図３に示すブロック図に基づいて説明する。メインコントローラ１１１は、主にＣＰＵ１１２と、バスコントローラ１１３、各種Ｉ／Ｆコントローラ回路とから構成される。
【００２４】
ＣＰＵ１１２とバスコントローラ１１３は制御装置１１０全体の動作を制御するものであり、ＣＰＵ１１２はＲＯＭ１２０からＲＯＭ Ｉ／Ｆ１２１を経由して読込んだプログラムに基いて動作する。また、ホストコンピュータから受信したＰＤＬ（ページ記述言語）コードデータを解釈し、ラスタイメージデータに展開する動作も、このプログラムに記述されており、ソフトウェアによって処理される。バスコントローラ１１３は各Ｉ／Ｆから入出力されるデータ転送を制御するものであり、バス競合時の調停やＤＭＡデータ転送の制御を行う。
【００２５】
ＤＲＡＭ１２２はＤＲＡＭ Ｉ／Ｆ１２３によってメインコントローラ１１１と接続されており、ＣＰＵ１１２が動作するためのワークエリアや、画像データを蓄積するためのエリアとして使用される。
【００２６】
調歩同期シリアル通信コントローラ１１４はリーダ部２００、プリンタ部３００の各ＣＰＵとシリアルバス１７２、１７３を介して制御コマンドを送受信し、操作部１８０のタッチパネルやキー入力の通信を行う。
【００２７】
ネットワークコントローラ（Network Controller）１２５はＩ／Ｆ１２７によってメインコントローラ１１１と接続され、コネクタ１２６によって外部ネットワークと接続される。ネットワークとしては一般的にイーサネット(登録商標)が挙げられる。
【００２８】
シリアルコネクタ１２４はメインコントローラ１１１と接続されて、外部機器との通信を行う。シリアルバスとしては一般的にＵＳＢが挙げられる。
【００２９】
ＦＡＮ１２８はメインコントローラ１１１に接続され、コントローラ部１１０を冷却するのに用いる。温度監視ＩＣ１４２はシリアルバス１４３によってメインコントローラ１１１に接続されている。温度監視ＩＣ１４２はＦＡＮ１２８の制御や、リアルタイムクロックモジュール１３７の温度補正等に用いられる。
【００３０】
汎用高速バス１３０には、拡張ボードを接続するための拡張コネクタ１３５とＩ／Ｏ制御部１２６、ＨＤコントローラ１３１、コーディック（Codec）１３３とが接続される。汎用高速バスとしては、一般的にＰＣＩバスが挙げられる。
【００３１】
コーディック１３３は、ＤＲＡＭ１２２に蓄積されたラスタイメージデータをＭＨ／ＭＲ／ＭＭＲ／ＪＢＩＧ／ＪＰＥＧ等の方式で圧縮し、また逆に圧縮され蓄積されたコードデータをラスタイメージデータに伸長する。ＳＲＡＭ１３４はコーディック１３３の一時的なワーク領域として使用される。ＤＲＡＭ１２２との間のデータの転送は、バスコントローラ１１３によって制御されＤＭＡ転送される。
【００３２】
ＨＤコントローラ１３１は、外部記憶装置を接続するためのものである。本実施形態においては、このＩ／Ｆを介してハードディスクドライブ１３２を接続している。ハードディスク１３２はプログラムを格納したり、画像データを記憶するのに用いている。
【００３３】
Ｉ／Ｏ制御部１２６は、データバス１４４の制御を行い、ポート１４５や割り込み１４６の制御を行う。
【００３４】
パネルＩ／Ｆ１４１は、ＬＣＤコントローラ１４０に接続され、操作部１８０上の液晶画面に表示を行うためのＩ／Ｆと、ハードキーやタッチパネルキーの入力を行うためのキー入力Ｉ／Ｆ１７１とから構成される。
【００３５】
操作部１８０は液晶表示部と液晶表示部上に張り付けられたタッチパネル入力装置と、複数個のハードキーを有する。タッチパネルまたはハードキーにより入力された信号は前述したパネルＩ／Ｆ１７１を介してＣＰＵ１１２に伝えられ、液晶表示部はパネルＩ／Ｆ１４１から送られてきた画像データを表示するものである。液晶表示部には、本画像形成装置の操作における機能表示や画像データ等を表示する。
【００３６】
リアルタイムクロックモジュール１３７は、機器内で管理する日付と時刻を更新／保存するためのもので、バックアップ電池１３８によってバックアップされている。
【００３７】
ＳＲＡＭ１３９はバックアップ電池１３８でバックアップされ、ユーザモードや各種設定情報や、ハードディスクドライブ１３２のファイル管理情報等を蓄積している。
【００３８】
グラフィックプロセッサ（Graphic Processor）１５１は、ＤＲＡＭ１２２に蓄積された画像データに対して、画像回転、画像変倍、色空間変換、二値化、スキャナ画像入力、プリンタ画像出力の処理を行う。ＤＲＡＭ１５２はグラフィックプロセッサ１５１の一時的なワーク領域として使用される。グラフィックプロセッサ１５１はＩ／Ｆ１５０を介してメインコントローラ１１１と接続され、ＤＲＡＭ１２２との間のデータの転送は、バスコントローラ１１３によって制御されＤＭＡ転送される。
【００３９】
コネクタ１６０と１５５は、それぞれリーダ部２００とプリンタ部３００とに接続され、同調歩同期シリアルＩ／Ｆ(１７３、１７２)とビデオＩ／Ｆ(１６３、１６２)とから構成される。
【００４０】
スキャナ画像処理部１５７は、コネクタ１６０を介してリーダ部２００と接続され、また、スキャナバス１６１によってグラフィックプロセッサ１５１と接続されており、リーダ部２００から受け取った画像に対して所定の処理を施す機能を有し、さらに、リーダ部２００から送られたビデオ制御信号をもとに生成した制御信号を、スキャナバス１６１に出力する機能も有する。
【００４１】
ＦＩＦＯ１５８はスキャナ画像処理部１５７と接続され、リーダ部２００から送られてくるビデオ信号のライン補正を行うのに用いられる。
【００４２】
プリンタ画像処理部１５３は、コネクタ１５５を介してプリンタ部３００と接続され、また、プリンタバス１５６によってグラフィックプロセッサ１５１と接続されており、グラフィックプロセッサ１５１から出力された画像データに所定の処理を施して、プリンタ部３００へ出力する機能を有し、さらに、プリンタ部３００から送られたビデオ制御信号をもとに生成した制御信号を、プリンタバス１６２に出力する機能も有する。
【００４３】
ＤＲＡＭ１５４はプリンタ画像処理部１５３に接続され、ビデオ信号を一定時間遅延させるのに用いられる。
【００４４】
ＤＲＡＭ１２２上に展開されたラスタイメージデータのプリンタ部への転送は、バスコントローラ１１３によって制御され、グラフィックプロセッサ１５１、プリンタ画像処理部１５３、コネクタ１５５を経由して、プリンタ部３００へＤＲＡＭ転送される。
【００４５】
＜リーダ画像処理部２２２の説明＞
図４はリーダ画像処理部２２２の詳細な構成を示すブロック図である。このリーダ画像処理部２２２では、プラテンガラス２１１上の原稿はＣＣＤ２１８に読み取られて電気信号に変換される（ＣＣＤ２１８はカラーセンサの場合、ＲＧＢのカラーフィルタが１ラインＣＣＤ上にＲＧＢ順にインラインに乗ったものでも、３ラインＣＣＤで、それぞれＲフィルタ・Ｇフィルタ・ＢフィルタをそれぞれのＣＣＤごとに並べたものでも構わないし、フィルタがオンチップ化又は、フィルタがＣＣＤと別構成になったものでも構わない）。そして、その電気信号（アナログ画像信号）は画像処理部２２２に入力され、クランプ＆Ａｍｐ．＆Ｓ／Ｈ＆Ａ／Ｄ部４０１でサンプルホールド（Ｓ／Ｈ）され、アナログ画像信号のダークレベルを基準電位にクランプし、所定量に増幅され（上記処理順番は表記順とは限らない）、Ａ／Ｄ変換されて、例えばＲＧＢ各８ビットのデジタル信号に変換される。そして、ＲＧＢ信号はシェーディング部４０２で、シェーディング補正及び黒補正が施された後、制御装置１１０へと出力される。
【００４６】
＜ＡＣＳカウント部の説明＞
ＡＣＳ（オートカラーセレクト）カウント部の説明を図５を用いて行う。オートカラーセレクト（以下、ＡＣＳと称す）は、原稿がカラーなのか白黒なのかを判断する。つまり画素ごとの彩度を求めてある閾値以上の画素がどれだけ存在するかでカラー判定を行うものである。しかし、白黒原稿であっても、ＭＴＦ等の影響により、ミクロ的に見るとエッジ周辺に色画素が多数存在し、単純に画素単位でＡＣＳ判定を行うのは難しい。このＡＣＳ手法はさまざまな方法が提供されているが、本実施形態では、ＡＣＳの方法にはこだわらない為、ごく一般的な手法で説明を行う。
【００４７】
前記したように、白黒画像でもミクロ的に見ると色画素が多数存在するわけであるから、その画素が本当に色画素であるかどうかは、注目画素に対して周辺の色画素の情報で判定する必要がある。５０１はそのためのフィルタであり、注目画素に対して周辺画素を参照する為にＦＩＦＯの構造をとる。５０２はメインコントローラ１１１からセットされた５０７〜５１０のレジスタに設定された値と、リーダ部２００から送られたビデオ制御信号５１２を基に、ＡＣＳをかける領域信号５０５を作成する回路である。５０３の色判定部は、ＡＣＳをかける領域信号５０５に基づき、注目画素に対して５０１のフィルタ内のメモリ内の周辺画素を参照し、注目画素が色画素か白黒画素かを決定する為の色判定部である。５０４は５０３の色判定部が出力した色判定信号の個数を数えるカウンタである。メインコントローラ１１１は読み込み範囲に対してＡＣＳをかける領域を決定し、５０７〜５１０のレジスタに設定する（本実施形態では、原稿に対して独立で範囲を決める構成をとる）。また、メインコントローラ１１１はＡＣＳをかける領域内での色判定信号の個数を計数するカウンタの値を、所定の閾値と比較し、当該原稿がカラーなのか白黒なのかを判断する。
【００４８】
５０７〜５１０のレジスタには、主走査方向、副走査方向それぞれについて、色判定部５０３が判定を開始する位置、判定を終了する位置を、リーダ部２００から送られたビデオ制御信号５１２に基づいて設定しておく。本実施例では、実際の原稿の大きさよりもそれぞれ１０ｍｍ程度小さめに設定している。
【００４９】
＜スキャナ画像処理部１５７の説明＞
スキャナ画像処理部１５７の詳細な説明を行う。図６はスキャナ画像処理部１５７を担う部分の詳細な構成を示すブロック図である。リーダ部２００からコネクタ１６０を介して送られる画像信号に対して、つなぎ＆ＭＴＦ補正部６０１で読み取り速度に応じてライン毎の遅延量を調整し、読み取速度によって変化したＭＴＦを補正する。ＣＣＤ２１８が３ラインＣＣＤの場合、つなぎ処理は３ラインの読み取位置が同じになるように信号タイミングを補正する。ＦＩＦＯ１５８はライン遅延のバッファとして用いる。読み取位置タイミングが補正されたデジタル信号は入力マスキング部６０２によって、ＣＣＤ２１８の分光特性及びランプ２１２及びミラー２１４、２１５、２１６の分光特性を補正する。入力マスキング部６０２の出力はＡＣＳカウント部４０５及びグラフィックプロセッサ１５１へと送られる。
【００５０】
＜プリンタ画像処理部１５３の説明＞
プリンタ画像処理部１５３を担う部分についての詳細な説明を行う。図７はプリンタ画像処理部１５３の詳細な構成を示すブロック図である。グラフィックプロセッサ１５１から、プリンタバス１５６を介して送られる画像信号は、まずＬＯＧ変換部７０１に入力される。ＬＯＧ変換部７０１では、ＬＯＧ変換でＲＧＢ信号からＣＭＹ信号に変換する。次にモアレ除去部７０２でモアレが除去される。７０３はＵＣＲ＆マスキング部で、モアレ除去処理されたＣＭＹ信号はＵＣＲ処理でＣＭＹＫ信号が生成され、マスキング処理部でプリンタの出力にあった信号に補正される。ＵＣＲ＆マスキング部７０３で処理された信号はγ補正部７０４で濃度調整された後フィルタ部７０５でスムージング又はエッジ処理される。出力切り替え部７０６で、感光ドラム３２１〜３２４のドラム間の距離を補正する為にＤＲＡＭ１５４にCMYK画像毎に一旦画像を蓄積し、ドラム間の距離を補正した画像をコネクタ１５５を介してプリンタ部３００へ送る。
【００５１】
＜グラフィックプロセッサ１５１の説明＞
グラフィックプロセッサ１５１についての詳細な説明を行う。図８はグラフィックプロセッサ１５１の詳細な構成を示すブロック図である。グラフィックプロセッサ１５１は、画像回転、画像変倍、色空間変換、二値化、スキャナ画像入力、プリンタ画像出力の処理をそれぞれ行うモジュールを有する。ＤＲＡＭ１５２はＤＲＡＭコントローラ８０８を介して各々のモジュールの一時的なワーク領域として使用される。各々のモジュールが用いるＤＲＡＭ１５２のワーク領域が競合しないよう、予め各々のモジュールごとにワーク領域が静的に割り当てを行う。グラフィックプロセッサ１５１はＩ／Ｆ１５０を介してメインコントローラ１１１と接続され、ＤＲＡＭ１２２との間のデータの転送は、バスコントローラ１１３によって制御されＤＭＡ転送される。
【００５２】
バスコントローラ１１３は、グラフィックプロセッサ１５１の各々のモジュールにモード等を設定する制御及び、各々のモジュールに画像データを転送するためのタイミング制御を行う。
【００５３】
入力インタフェース８１０はＩ／Ｆ１５０から入力された画像データをCrossBerSwitch８０９に入力する。画像データ形式は２値ラスタイメージデータ、多値ラスタイメージデータ、ＪＰＥＧ等を扱い、ＪＰＥＧ画像の場合は入力インタフェース810にてラスタイメージデータに変換してCrossBerSwitch８０９にデータ出力する。
【００５４】
出力インタフェース８１１はCrossBerSwitch８０９から入力された画像データをＩ／Ｆ１５０に出力する。CrossBerSwitch８０９から入力される画像データ形式はラスタイメージデータであるが、出力インタフェース８１１でＪＰＥＧ圧縮を行ってＩ／Ｆ１５０にデータ出力することも行える。
【００５５】
＜スキャナ入力部８０６の説明＞
以下にスキャナ入力部８０６における処理手順を示す。Ｉ／Ｆ１５０を介して、ＣＰＵ１１２からバスコントローラ１１３にスキャナ入力制御のための設定を行う。この設定によりバスコントローラ１１３はスキャナ入力部８０６に対して必要な設定(入力処理に応じた各種パラメータ等)を行う。必要な設定を行った後に、再度ＣＰＵ１１２からバスコントローラ１１３に対して画像データ転送の許可を行う。その後、スキャナ画像処理部１５７から入力される同期信号に同期して画像データがスキャナ入力部８０６に入力される。スキャナ入力部８０６は受け取った画像データを入力バッファとして一旦ＤＲＡＭ１５２に格納する。その後スキャナ入力部はＤＲＡＭ１５２に格納した画像をバスコントローラ１１３に転送する。スキャナ入力画像データを受け取ったバスコントローラ１１３は、ＤＲＡＭ１２２もしくはＩ／Ｆ上の各デバイスにデータを転送する。
【００５６】
＜プリンタ出力部８０７の説明＞
以下にプリンタ出力部８０７における処理手順を示す。Ｉ／Ｆ１５０を介して、ＣＰＵ１１２からバスコントローラ１１３にプリンタ出力制御のための設定を行う。この設定によりバスコントローラ１１３はプリンタ出力部８０７に対して必要な設定(出力処理に応じた各種パラメータ等)を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。
【００５７】
プリンタ出力部８０７は受け取った画像データを一旦ＤＲＡＭ１５２に格納する。その後プリンタ画像処理１５３から入力される同期信号に応じてＤＲＡＭ１５２に格納した画像をプリンタ画像処理部１５３に出力する。
【００５８】
＜システム全体＞
本実施形態のネットワークシステム全体の構成を図９に示す。１００１はＭＦＰで、後述するスキャナとプリンタから構成され、スキャナから読み込んだ画像をローカルエリアネットワーク１０１０（以下、ＬＡＮと称す）に流したり、ＬＡＮから受信した画像をプリンタによりプリントアウトできる。また、スキャナから読んだ画像を図示しないＦＡＸ送信手段により、ＰＳＴＮまたはＩＳＤＮ１０３０に送信したり、ＰＳＴＮまたはＩＳＤＮから受信した画像をプリンタによりプリントアウトできる。１００２は、データベースサーバで、ＭＦＰ１００１により読み込んだ２値画像及び多値画像をデータベースとして管理する。１００３は、データベースサーバ１００２のデータベースクライアントで、データベース１００２に保存されている画像データを閲覧／検索等できる。１００４は、電子メールサーバで、ＭＦＰ１００１により読み取った画像を電子メールの添付として受け取ることができる。１００５は、電子メールのクライアントで、電子メールサーバ１００４の受け取ったメールを受信し閲覧したり、電子メールを送信したり、可能である。１００６がＨＴＭＬ文書をＬＡＮに提供するＷＷＷサーバで、ＭＦＰ１００１によりＷＷＷサーバで提供されるＨＴＭＬ文書をプリントアウトできる。１００７は、ルータでＬＡＮ１０１０をインターネット／イントラネット１０１２と連結する。インターネット／イントラネットに、前述したデータベースサーバ１００２、ＷＷＷサーバ１００６、電子メールサーバ１００４、ＭＦＰ１００１と同様の装置が、それぞれ１０２０、１０２１、１０２２、１０２３として連結している。一方、ＭＦＰ１００１は、ＰＳＴＮまたはＩＳＤＮ１０３０を介して、ＦＡＸ装置１０３１と送受信可能になっている。また、ＬＡＮ上にプリンタ１０４０も連結されており、ＭＦＰ１００１により読み取った画像をプリントアウト可能なように構成されている。
【００５９】
＜操作部概要＞
操作部１８０の構成を図１０に示す。ＬＣＤ表示部３００１は、ＬＣＤ上にタッチパネルシートが貼られており、システムの操作画面を表示するとともに、表示してあるキーが押されるとその位置情報をコントローラＣＰＵに伝える。スタートキー３００２は原稿画像の読み取り動作を開始する時などに用いる。スタートキー中央部には、緑と赤の２色ＬＥＤがあり、その色によってスタートキーが使える状態にあるかどうかを示す。ストップキー３００３は稼働中の動作を止める働きをする。ＩＤキー３００４は使用者のユーザＩＤを入力するときに用いる。リセットキー３００５は操作部からの設定を初期化するときに用いる。以下で操作部の各画面について詳細に説明する。
【００６０】
＜操作画面＞
ＭＦＰが提供する機能は、Copy/ Send/ Retrieve/ Tasks/ Management/ Configurationの６つの大きなカテゴリーに分かれており、これらは操作画面(図１１)上の上部に表示される６つのメインタブ（COPY/SEND/RETREIVE/TASKS/MGMT/CONFIG）３０１１〜３０１６に対応している。これらのメインタブを押すことにより、各カテゴリーの画面への切り替えが行われる。他カテゴリーへの切り換えが許可されない場合は、メインタブの表示色が変わり、メインタブを押しても反応しない。
【００６１】
Copyは自機が有するスキャナとプリンタを使用して通常のドキュメント複写を行う機能と、自機が有するスキャナとネットワークで接続されたプリンタを使用してドキュメントの複写を行う機能（リモートコピー）を含む。Sendは自機が有するスキャナに置かれたドキュメントを、電子メール、リモートプリンタ、ファックス、ファイル転送（FTP）およびデータベースに転送する機能であり、宛先を複数指定することが可能である。Retrieveは外部にあるドキュメントを取得し、自機が有するプリンタで印刷する機能である。ドキュメントの取得手段としてＷＷＷ、電子メール、ファイル転送およびファックスの使用が可能である。Tasksはファックスやインターネットプリントなどの外部から送られるドキュメントを自動処理し、定期的にRetrieveを行うためのタスクの生成、管理を行う。Managementはジョブ・アドレス帳・ブックマーク・ドキュメント・アカウント情報などの管理を行う。Configurationでは自機に関しての設定（ネットワーク、時計など）を行う。
【００６２】
図１３、図１４を用いて、本実施形態におけるＭＦＰの動作について説明する。本実施形態のネットワーク上には、ＭＦＰ１(４０１０)、ＭＦＰ２(４０２０)、データベースサーバＤＢ１(４０３０)、ＤＢ２(４０４０)、クライアントＣＰＣ１(４０５０)、ＣＰＣ２(４０６０)、プリンタＳＦＰ１(４０７０)が接続されている。これはローカルエリアネットワークを想定しているが、セキュリティの方法によっては、外部ネットワークを含んでも良い。
【００６３】
まず、個人で所有するストレージデバイス(４１００)の初期設定を行う。これは、専用ソフトウェアをＰＣにインストールしてＰＣ上で行うか、ＭＦＰ１、２（４０１０、４０２０）のいずれかで行う。はじめに、個人用パスワード(４１１０)を設定し、ストレージデバイス（４１００）上にマルチファンクションプリンタ用のファイル領域を作成する。すると、ストレージデバイス（４１００）上に機器管理用テーブル(４１２０)が作成され、残りの領域にファイルなどを保存できる。もちろん、管理テーブルのみを作成することも可能である。機器管理テーブルは、機器名・(機器特有の)パスワード・前回のパスワード・前回のアクセス日時・参照可能領域などの項目から成る。初期状態で作成したものは、機器管理テーブルの４行目のように、前回パスワードと前回アクセス日時が初期設定状態のものとなる。参照可能領域は、各機器内の記憶装置情報(４１４０)のように、個人用として設定される。
【００６４】
この設定作業を繰り返していくと、最終的に機器管理テーブル４１２０のように記載された形式となる一方、各機器内にも、ユーザ管理テーブル(４１３０)が作成される。項目は、ユーザ名(Ｕ)、個人用パスワード(ＰｅＰ)・現在の(機器用)パスワード（ＰｒＰ）・前回の(機器用)パスワード（ＢＰ）からなり、個人用パスワード(ＰｅＰ)はユーザ管理テーブル上では、通常空白状態になっている。さらに、クライアントＣＰＣ１、２のように、個人専用の機器にはユーザ管理テーブルの作成制限をかけることも可能である。また、ＳＦＰ１(４０７０)のように、ストレージデバイス入出力装置(４０８０)を持つが、ハードディスク装置などを内蔵しないタイプの装置では仮想的に領域を作り、管理テーブルのみに情報を付加することが可能である。また、データベースサーバＤＢ１などのように個人領域の一部をマルチファンクションプリンタ用の領域として設定することも可能である。
【００６５】
一方、ネットワーク上に存在するＰＣのローカルハードディスクにも一部の領域をマルチファンクション専用の領域として設定しておくことで、ＭＦＰから他のＭＦＰだけでなく、ＰＣやデータサーバに対してもアクセスを行うことが可能になる。
【００６６】
次に実際のユーザ認証と認証完了後の閲覧可能なファイル表示についての方法を説明する。先ず、ＭＦＰ１（４０１０）にストレージデバイス（４１００）を挿入する場合について説明する。
【００６７】
まず、ＭＦＰ１（４０１０）にストレージデバイスを挿入すると、ＭＦＰ１（４０１０）はストレージデバイス内の機器管理テーブルを確認して、機器管理テーブルの機器名の欄にＭＦＰ１（４０１０）が存在するかどうかを判断する（ステップＳ４５１０）。機器管理テーブルの機器名の欄にＭＦＰ１（４０１０）が存在する場合には、ＭＦＰ１（４０１０）は今回と前回の（機器特有の）パスワードをそれぞれ確認する（ステップＳ４５２０）。即ち、機器管理テーブル内の今回と前回のパスワードを取得し、ユーザ管理テーブル内のＰｒＰ欄、ＢＰ欄夫々にそれらと同一のパスワードが記録されているかを確認する。次に、ＭＦＰ１（４０１０）は個人パスワードの入力を求め、その個人パスワードが正しいものであるかを判断する（ステップＳ４５３０）。ここで、個人パスワードが正しくない場合には、ユーザが個人用パスワードを複数回間違えて入力したり、機器用パスワードの相違があったりするなど、不正なアクセスを故意にしていると思われるような所定の条件を満たしているかを判断する（ステップＳ４５４０）。所定の条件が満たされている場合には、機器管理テーブル内から該当する機器のレコードを削除する（ステップＳ４５５０）。
【００６８】
次に、認証が完了すると、ＭＦＰ１（４０１０）はＭＦＰ１（４０１０）内のユーザ管理テーブルおよび機器管理テーブルの書き換えを行う（ステップＳ４５６０）。ユーザ管理テーブルおよび機器管理テーブルのそれぞれにおいて、現在のパスワードを前回のパスワードへ移し、乱数を発生させてそれを現在のパスワードとする。また、アクセス日時も同様に書き換えを行う。さらに、ＭＦＰ１（４０１０）は、個人用パスワードをストレージデバイスから取得し、ユーザ管理テーブルのＰｅＰ欄に書き込み、機器管理テーブル内で管理される参照可能領域内でのマスター機器となる。マスター機器は、他のアクセス可能なスレーブ機器に対して、データを読み書きできるが、スレーブ機器からマスター機器（ＭＦＰ１（４０１０））へのアクセスはできないようになっている。一方、ストレージデバイスを外した時は、ＰｅＰは削除され、次回のアクセス時までは空白のままである。
【００６９】
これらの認証およびテーブル書き換え作業が終了すると、図１２のように、操作パネル上部にメニュー画面が出て、下部のファイル一覧の欄１２００１にはアクセス可能な領域を表示しておく。認証が完了しているので、機器管理テーブルとユーザ管理テーブルの矛盾のないネットワーク上の機器のファイルにアクセスできる。例えば、ＭＦＰ１は機器管理テーブル４１２０においてＭＦＰ１に対応している参照可能領域"\\CPC1\Ar-b"をアクセス可能領域として表示するだけでなく、機器管理テーブル４１２０においてＳＦＰ１に対応している参照可能領域"\\SFP1\Ar-a"をもアクセス可能領域として表示することもできる。この場合、ＭＦＰ１は個人設定用パスワード４１１０と、機器管理テーブル４１２０においてＳＦＰ１に対応している前回パスワード及びパスワードとをＳＦＰ１に送信し、ＳＦＰ１はそれらのパスワードに基づいて認証処理を行い、認証が成功すればアクセス可能である旨をＭＦＰ１に通知する。すると、ＭＦＰ１は参照可能領域"\\SFP1\Ar-a"をアクセス可能領域として表示する。続いて、ユーザによるメニューの選択を受け付け（ステップＳ４５７０）、選択されたメニューの内容に従ってファイルへのアクセス方法を判断する（ステップＳ４５８０）。ファイルに対して読み出しアクセスのメニューが選択されていれば、該当ファイルのみを図１２の対象ファイル選択欄１２００２に表示する（ステップＳ４５９０）。一方、書き込みが対象になるような場合は、全てのファイルを表示する(ステップＳ４６００)。これは、例えば、領域内のプリント可能なデータのみを表示することができ、プリントができないデータは表示しないことも設定可能である。
【００７０】
次に、ＭＦＰ２（４０２０）にストレージデバイスを挿入し、ストレージデバイスの機器管理テーブル上に未登録のＭＦＰ２（４０２０）を登録するケースを説明する。始めに、ストレージデバイスをＭＦＰ２（４０２０）に挿入すると、機器データが存在しないため(ステップＳ４５１０)、機器設定メニュー(ステップＳ４６１０)が表示される。続いて、ストレージデバイス内の個人パスワード認証を行う(ステップＳ４５３０)。この認証が得られない場合は、ケース１と同様の動作を行う(Ｓ４５５０)。続いて、ＭＦＰ２（４０２０）は初めての登録であるため、乱数パスワードを発生させ(ステップＳ４６２０)、機器管理テーブル(４１２０)のパスワード欄と参照領域欄を登録する。一方で、ＭＦＰ２（４０２０）のユーザ管理テーブル(４１３０)において、新規ユーザの登録を行う。
【００７１】
機器管理テーブルの作成のみで終了することも可能であるが、もし、ＭＦＰ２（４０２０）を動作させようとして、メニューの選択を行うと(ステップＳ４５７０)、ケース１と同様、該当する動作に合わせて、ユーザのアクセス領域内の該当するファイルが表示される。
【００７２】
上記実施形態によれば、選択した動作メニューに合わせて、動作可能なファイルのみを表示することが可能になる上、データを保護しながらネットワーク上にある個人のファイルに簡単にアクセスすることが可能になり、複合機の利便性が向上する。
【００７３】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００７４】
この場合、記憶媒体から読み出されたプログラムコード自体が前述した実施形態の機能を実現することになり、プログラムコード自体及びそのプログラムコードを記憶した記憶媒体は本発明を構成することになる。
【００７５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００７６】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００７７】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００７８】
【図１】本発明の実施形態に係る画像入出力システムの全体構成を示す図である。
【図２】リーダ部及びプリンタ部の概観図である。
【図３】制御装置の機能構成を示す図である。
【図４】リーダ画像処理部の詳細に構成を示すブロック図である。
【図５】ＡＣＳ（オートカラーセレクト）カウント部の構成を示す図である。
【図６】スキャナ画像処理部の詳細な構成を示すブロック図である。
【図７】プリンタ画像処理部の詳細な構成を示すブロック図である。
【図８】グラフィックプロセッサの詳細な構成を示すブロック図である。
【図９】本発明の実施形態に係るネットワークシステム全体の構成を示す図である。
【図１０】操作部の構成を示す図である。
【図１１】操作部のメイン画面の構成例を示す図である。
【図１２】ユーザ認証後のファイル表示画面の構成例を示す図である。
【図１３】本発明の実施形態におけるＭＦＰの動作を説明するための図である。
【図１４】本発明の実施形態におけるＭＦＰの動作を説明するための図である。
【符号の説明】
【００７９】
４０１０、４０２０  ＭＦＰ
４０３０、４０４０  データベースサーバ
４０５０、４０６０  クライアント
４０７０  プリンタ
４０８０  ストレージデバイス入出力装置
４１００  ストレージデバイス
４１１０  個人設定用パスワード
４１２０  機器管理テーブル
４１４０  各機器内の記憶装置情報
【図１】
2006260450.tif 000003
【図２】
2006260450.tif 000004
【図３】
2006260450.tif 000005
【図４】
2006260450.tif 000006
【図５】
2006260450.tif 000007
【図６】
2006260450.tif 000008
【図７】
2006260450.tif 000009
【図８】
2006260450.tif 000010
【図９】
2006260450.tif 000011
【図１０】
2006260450.tif 000012
【図１１】
2006260450.tif 000013
【図１２】
2006260450.tif 000014
【図１３】
2006260450.tif 000015
【図１４】
2006260450.tif 000016